(57)【要約】【課題】  収納ケース間にデッドスペースが発生しても、そのデッドスペースに棚を確実に形成してデッドスペースを有効に活用することができる。【解決手段】  この簡易棚付き収納ユニット１は、棚構成体１０が、収納ケース２とこれと離間して配置された収納ケース２との間に掛け渡されることで棚を形成するためのもので、従って、一対の収納ケース２、２及びその上の段の収納ケース２、２の間に水平にそれぞれ架設される。棚構成体１０は、長さ方向に伸縮自在に形成され、パイプ状をなす第１の部材とこの第１の部材より小径をなしてこれに一端側が挿入されたパイプ状をなす第２の部材とを備える。【選択図】  図１
2005080768.tif 000002
【特許請求の範囲】
【請求項１】
互いに水平方向に離間した一対の収納ケース間に架設されて棚を構成する棚構成体であって、
前記架設される長さ方向の両端に、前記一対の収納ケースに設けられた係止部に係止される被係止部が設けられていることを特徴とする棚構成体。
【請求項２】
請求項１記載の棚構成体において、
前記架設される長さ方向に伸縮自在であることを特徴とする棚構成体。
【請求項３】
請求項１又は２記載の棚構成体において、
前記架設される長さ方向で最も伸長した範囲内でその長さ方向に沿い互いに隣接して配置される複数の棚板部材を有することを特徴とする棚構成体。
【請求項４】
請求項１又は２記載の棚構成体において、
前記架設される長さ方向の一端側に引き掛かる第１の棚板部材と、前記長さ方向の他端側に引き掛かる第２の棚板部材とからなり、第１の棚板部材と第２の棚板部材との対向端が互いに上下に重なることを特徴とする棚構成体。
【請求項５】
水平方向に離間して配置された少なくとも一対の収納ケースと、これら収納ケース間に水平方向に架設される請求項１〜４のいずれか記載の棚構成体とを備えていることを特徴とする簡易棚付き収納ユニット。
【請求項６】
請求項５記載の簡易棚付き収納ユニットにおいて、
前記一対の収納ケースの係止部は、前記棚構成体の被係止部を係止したとき、該被係止部を埋設させる深さで凹んでいることを特徴とする簡易棚付き収納ユニット。
【発明の詳細な説明】
【技術分野】
【０００１】
この発明は、棚構成体及び簡易棚付き収納ユニットに係り、特に一対の収納ケース間に存在する空間を利用して棚を形成するのに好適な技術に関する。
【背景技術】
【０００２】
押入やクローゼット（以下、「押入など」と略称する）等には衣類や小物等を収納した収納ケースを入れることがある。その場合、収納ケースなどには、押入などの幅寸法や高さ寸法に合わせて横に並べたり、上方に積み重ねたりして使用されたりすることがある。この種の収納ケースとしては、種々提案されて実用に供されており、高さ方向に積み重ねられるように工夫されたもの等がある（例えば、特許文献１参照。）。
【特許文献１】特開平１１−２１６０２７号公報（第４−５頁、図１、図２）
【発明の開示】
【発明が解決しようとする課題】
【０００３】
ところで、上記収納ケースを押入などに入れた場合、押入などのサイズによっては収納ケースが横方向に隣り合わせに並べることができない問題があった。
つまり、押入などにあっては、京間サイズや江戸間サイズが存在するばかりでなく、団地サイズのような特殊な大きさも存在するので、収納ケースを幅方向に沿い整列させることができないばかりでなく、高さのサイズに合わせて上下方向に積み重ねることができないことがあった。そのため、収納ケースを押入などに入れたとき、収納ケースとそれと同一面上に配置される収納ケースとの間だけでなく、その上方にもデッドスペースが生じてしまい、空間を有効に活用することができない問題があった。
【０００４】
この発明は、このような事情を考慮してなされたもので、その目的は、収納ケースと収納ケースとの間にデッドスペースが発生しても、そのデッドスペースに棚を確実に形成してデッドスペースを有効に活用することができる棚構成体及び簡易棚付き収納ユニットを提供することにある。
【課題を解決するための手段】
【０００５】
上記目的を達成するために、この発明は以下の手段を提案している。
請求項１に係る発明は、互いに水平方向に離間した一対の収納ケース間に架設されて棚を構成する棚構成体であって、前記架設される長さ方向の両端に、前記一対の収納ケースに設けられた係止部に係止される被係止部が設けられていることを特徴とする。
請求項２に係る発明は、請求項１記載の棚構成体において、前記架設される長さ方向に伸縮自在であることを特徴とする。
請求項３に係る発明は、請求項１又は２記載の棚構成体において、前記架設される長さ方向で最も伸長した範囲内でその長さ方向に沿い互いに隣接して配置される複数の棚板部材を有することを特徴とする。
請求項４に係る発明は、請求項１又は２記載の棚構成体において、前記架設される長さ方向の一端側に引き掛かる第１の棚板部材と、前記長さ方向の他端側に引き掛かる第２の棚板部材とからなり、第１の棚板部材と第２の棚板部材との対向端が互いに上下に重なることを特徴とする。
請求項５に係る発明は、水平方向に離間して配置された少なくとも一対の収納ケースと、これら収納ケース間に水平方向に架設される請求項１〜４のいずれか記載の棚構成体とを備えていることを特徴とする。
請求項６に係る発明は、請求項５記載の簡易棚付き収納ユニットにおいて、前記一対の収納ケースの係止部は、前記棚構成体の被係止部を係止したとき、該被係止部を埋設させる深さで凹んでいることを特徴とする。
【発明の効果】
【０００６】
請求項１に係る発明によれば、互いに水平方向に離間して配置された一対の収納ケースに棚構成体が架設されることで、両収納ケース間に棚を形成することができるので、押入やクローゼット等に収納ケースを入れたとき、デッドスペースが生じても、そのデッドスペースに棚を容易かつ良好に形成できる効果が得られる。
【０００７】
請求項２に係る発明によれば、長さ方向に伸縮自在であるので、一対の収納ケース間の間隔が、収納ケースの幅より狭かったり広かったりしても、棚構成体の長さをその寸法に合わせて調整することで、一対の収納ケース間に確実に架設することができ、棚の形成を良好に行うことができる効果が得られる。
【０００８】
請求項３に係る発明によれば、複数の棚板部材が長さ方向で互いに隣接して配置されるので、棚に載置される物が落下したりするのを防ぐことができ、棚構成体として良好に機能することができる効果が得られる。
【０００９】
請求項４に係る発明によれば、第１の棚板部材と第２の棚板部材とが上下に重なるので、棚に載置される物が落下するのを防ぐことができ、棚構成体として良好に機能することができる効果が得られる。
【００１０】
請求項５に係る発明によれば、互いに水平方向に離間して配置された一対の収納ケースに棚構成体が架設されることで、該棚構成体によって両収納ケース間に棚を形成することができるので、押入やクローゼット等に収納ケースを入れたとき、デッドスペースが生じても、そのデッドスペースに棚を容易に形成することができ、従って、限られた空間内に収納ケースを入れることで発生したデッドスペースを有効に活用することができ、このため、江戸間や京間、団地サイズのような大きさの空間内を良好に活用することができ、また、そのような空間のみならず、タンスの上の空間をも良好に活用することができ、簡易棚付き収納ユニットとして極めて有益となる効果が得られる。
【００１１】
請求項６に係る発明によれば、棚構成体の長さ方向の一端側に引き掛けられる棚板部材と、その他端側に引き掛けられる棚板部材とが、棚構成体に着脱自在に取り付けられているので、棚構成体が伸縮しても、いずれかの棚板部材を取り外す必要がなくなり、従って、収納ケース間に架設された棚構成体が上下方向に常に塞ぐことができるので、物が落下するおそれがなく、しかも、必要によっては取り外しも容易にできるので、使い勝手がいっそう良好となる効果が得られる。
【発明を実施するための最良の形態】
【００１２】
以下、図面を参照し、この発明の実施の形態について説明する。図１から図１３はこの発明の第１の実施の形態に係る簡易棚付き収納ユニットを示している。
図１に示すこの実施形態の簡易棚付き収納ユニット１は、棚構成体１０が、最も下段に設けられた左側の収納ケース２とこれと水平方向に離間して右側に配置された収納ケース２との間に掛け渡されることで、棚を形成するものであり、また、その下段の左側の収納ケース２の上に重ねられた中段の収納ケース２と下段の右側の収納ケース２の上に重ねられた中段の収納ケース２との間に同様に掛け渡されたりすることでも棚を形成することができ、従って、水平方向に配置された一対の収納ケース２、２の間やその上の段の収納２、２の間等に水平にそれぞれ架設されている。図１において、符号Ｓは、押入の柱である。
【００１３】
上記棚構成体１０は、図２に示す矢印Ｘのように長さ方向に伸縮自在に形成されてあって、パイプ状をなす第１の部材１１と、この第１の部材１１より小径をなしてこれに一端側が挿入されたパイプ状をなす第２の部材１２とを備えている。つまり、棚構成体１０は、第１の部材１１の一端側の内側に第２の部材１２の一端側を奥部まで挿入することで、全体の長さが縮小される一方、第２の部材１２の先端側を引き出すことで全体の長さが伸長される。
そして、この棚構成体１０は、水平方向に配置された両収納ケース２、２の片側の前後にそれぞれ架設されるよう二本用いて使用される。
【００１４】
棚構成体１０を構成する第１の部材１１及び第２の部材１２には被係止部１３、１４がそれぞれ設けられ、この被係止部１３、１４が図１０に示す収納ケース２の係止部としての凹部５に係止されるようになっている。被係止部１３は、図４に示すように、基部１５と一体に設けられ、その基部１５が第１の部材１１の先端に嵌入されている。被係止部１４も基部１６と一体に設けられ、その基部１６が第２の部材１２の先端に嵌入されることで互いに対向して設けられている。これら被係止部１３、１４はいずれもフック形状をなしている。以下は、被係止部１３、１４を「フック部１３」、「フック部１４」とも呼ぶ。
【００１５】
一方、係止部としての凹部５は、収納ケース２の上面の一部が凹んで形成されている。
ここで、収納ケース２について以下に説明する。即ち、収納ケース２は、衣類、小物類などを収納するためのものであって、図６から図１１に示すように、外ケース部３と、引き出し部４とを備えており、いわゆる引き出しタイプに構成されている。外ケース部３は、図１１に示すように、正面側が開口されると共に、その周囲が覆われた四角の筒状をなしている。引き出し部４は、外ケース部３に収納可能な大きさをなして上方に開口された四角の箱形形状をなしており、外ケース部３に正面から挿入されたとき、図７〜図１０に示すようにその前板４ａが外ケース部の開口を塞ぐようになっている。
【００１６】
外ケース部３は、図７〜図９に示すように、その底板６に周囲に沿って脚部８が下方に向けて設けられ、また上面には、図６、図１２、図１３に示すように、脚部８を挿入する挿入溝９が周囲に沿って設けられている。そして、例えば図１に示すように、一方の収納ケース２の上に収納ケース２を積み重ねるとき、図１３に示すように、収納ケース２の挿入溝９内に収納ケース２の脚部８が挿入されることで、収納ケース２の天板７に収納ケース２の底板６が重ねられ、これによって収納ケース２、２が安定した状態で高さ方向に積み重ねられるようになっている。この収納ケース２は、合成樹脂製若しくは布製からなっている。なお、合成樹脂製の場合には、内部に収納している物が何かを識別できるようにするため、透明若しくは半透明でもよいが、これに限らず、見栄えなどを高めるために彩色されてもよい。
【００１７】
このような収納ケース２の天板７には、棚構成体１０の被係止部を係止する係止部としての凹部５が形成されている。凹部５は、収納ケース２の天板７の両側の前部及び後部にそれぞれ設けられいる。この場合、凹部は、被係止部を係止したとき、被係止部の上面が天板７の上面から上方に突出することなく、天板７と略一致するようになっている。そのため、凹部５としては、被係止部１３、１４の高さに相当する寸法分だけ凹んで形成されている。
【００１８】
一方、棚構成体１０には、図４及び図５に示すように、第１の部材１１と他方の部材１２間に跨る複数の棚板部材１７が設けられている。
棚板部材１７は、所定の板幅からなる長四角状の板体であって、例えば三個用意されており、図５に示すように、第１の部材１１と第２の部材１２間が最も伸長した状態にあるとき、それぞれが互いに当接した状態で並べられ、また図５に示すようにある程度縮小されたとき、他の一個のみが取り外されて他の二個を互いに当接した状態で並べて使用でき、これによって、物を載置できるように棚板を構成できるようになっている。
棚板部材１７の周囲には下方に向うように、長辺側に設けられた縁部１７ａ及び短辺側に設けられた縁部１７ｂが設けられており、縁部１７ａには第１、第２の部材１１、１２に引き掛かるための切り欠き１８が設けられている。
【００１９】
この実施形態の棚構成体１０は、上記のように構成されているので、次にその取り扱いについて以下に説明する。
いま、押入に収納ケース２を複数入れようとするとき、押入の幅方向のサイズの関係上から収納ケース２が例えば水平方向に三個並べられない場合があり、そのため、図１に示すように、押入の左側に収納ケース２を入れると共に、その収納ケース２と離間して配置するようその右側に収納ケース２を入れたとき、両者２、２の間に収納ケースが入らず、両者の間がデッドスペースとなるおそれがある。
【００２０】
そのような場合、棚構成体１０を使用する。即ち、下段にある左側の収納ケース２における天板７の右側前部の凹部５に棚構成体１０の第１の部材１１のフック部１３を係止する一方、その第１の部材１１に対して第２の部材１２の長さを調整した後、その第２の部材１２のフック部１４を、下段にある右側の収納ケース２における天板７の左側前部の凹部５に係止し、またこれと同様のことを、上記双方の収納ケース２の天板７の後部に存在する凹部５に対して行うことで、第１及び第２の部材１１、１２のフック部１３、１４を係止させ、これによって両収納ケース２、２間に棚を構成する。
このとき、棚構成体１０の第１の部材１１と第２の部材１２間が、図３に示すような長さになった場合には、棚構成体１０のそれぞれに棚板部材１７を三個並べ、或いは図５に示すような長さになった場合には、棚板部材１７を二個並べ、棚板部材１７の枚数を適宜変えることにより適切な長さの棚を構成することができる。
【００２１】
この実施形態では、互いに水平方向に離間して配置された一対の収納ケース２、２に棚構成体１０が架設されることで、両収納ケース２、２間に棚構成体１０によって棚を形成することができるので、押入やクローゼット等に収納ケースを入れたとき、デッドスペースが生じても、そのデッドスペースに棚を容易に形成することができ、従って、限られた空間内に収納ケース２、２を入れることで発生したデッドスペースに棚を容易かつ良好に形成することができる。
つまり、この簡易棚付き収納ユニット１によれば、収納ケース２、２を入れることで発生したデッドスペースを有効に活用することができる。このため、江戸間や京間、団地サイズのような大きさの空間内を良好に活用することができ、また、そのような空間のみならず、タンス等の上の空間をも良好に活用することができる。
【００２２】
しかも、棚構成体１０のフック部１３、１４が収納ケース２、２の凹部５に係止されたとき、凹部５がフック部１３、１４を埋設できる深さで凹んで形成されているので、収納ケース２、２の天板７から上方に突出することがなく、そのため、両収納ケース２、２の上に他の収納ケース２、２を積み重ねることができるばかりでなくり、上の収納ケース２、２間にも同様にして棚構成体１０を架設することで更なる棚を形成することもできるので、デッドスペースの活用を極めて良好に行える。
【００２３】
また、棚構成体１０がその長さ方向に伸縮自在であるので、一対の収納ケース２、２間の間隔が、収納ケース２の幅より狭かったり広かったりしても、棚構成体１０の長さをその寸法に合わせて調整することで、一対の収納ケース２、２間に確実に架設することができ、棚の形成を良好に行うことができる。
【００２４】
更に、複数の棚板部材１７が棚構成体１０の長さ方向で互いに隣接して配置されるので、棚に載置される物が落下したりするのを防ぐことができ、棚構成体１０として良好に機能することができる。
しかも、棚板部材１７は、棚構成体１０を縮小させて使用する場合、その長さに合わせて使用できるよう、第１、第２の部材１１、１２から不要なものを取り外せるよう着脱自在であるので、使い勝手が良好となる。
【００２５】
図１４は、この発明の第２の実施の形態に係る簡易棚付き収納ユニットを示している。
前述した実施形態では、収納ケース２の天板７に棚構成体１０の被係止部としてのフック部１３、１４を係止するため、挿入溝９とは独立的に係止部としての凹部５が設けられた例を示したが、この実施形態においては、挿入溝９の前後の位置に前記凹部５が一体に形成された点にある。
【００２６】
即ち、図１４に示すように、挿入溝９の前後の位置に、それより深さを大きくして凹部５がそれぞれ設けられ、それぞれの凹部５に棚構成体１０のフック部１３（１４）が係止されることで棚を形成するようにしている。そして、この収納ケース２の上に、鎖線に示すように他の収納ケース２を重ねたとき、その収納ケース２の脚部８がフック部１３（１４）の上に載置されることで、上段の収納ケース２が棚構成体１０を下段の収納ケース２に押さえ付けることができるようになっている。そのため、棚構成体１０の第１の部材１１に設けられたフック部１３の頸部１３ａが水平方向に延在して設けられる一方、収納ケースの天板７の両側には、頸部１３ａを支持できる段差部７ａが設けられている。この場合図示していないが、棚構成体１０の第２の部材１２のフック部１４もフック部１３と同様に形成されているのは勿論である。
【００２７】
従って、この実施形態によれば、下段の一対の収納ケース２、２間に棚構成体１０が掛け渡されたとき、その上に収納ケース２、２を積み重ねると、その上段の収納ケース２、２によって棚構成体１０のフック部１３、１４を押さえ付けるので、棚構成体１０が脱落するのを防ぐことができ、簡易棚付き収納ユニット１としての信頼性を高めることができる。
【００２８】
図１５は、この発明の第３の実施の形態に係る簡易棚付き収納ユニット１を示している。
この場合は、収納ケース２に設けられる係止部としての凹部５が、外ケース部３を構成する天板７の壁際に形成されている。つまり、この実施形態では、図１５に示すように、収納ケース２の天板７の端縁７ａが側壁３ａに係合されることで、外ケース部３が構成されており、天板７において端縁７ａの内側に凹部５が設けられている。
【００２９】
そして、棚を形成するため、凹部５に棚構成体１０のフック部１３（１４）が係止されるが、この収納ケース２の上に他の収納ケース２が重ねられたとき、その上段の収納ケース２の外ケース部３に設けられたリブ３ｂにより、フック部１３（１４）が脱落しないように押さえるようになっている。そのため、収納ケース２の外ケース部３の側壁３ａには凹部５と対応する位置にリブ３ｂが設けられている。このリブ３ｂは、外ケース部３の側壁３ａに下部から上方に従って延在しているが、側壁３ａの高さ方向の途中位置までであってもよい。
外ケース部３は、底板６側から天板７方向に至るに従い若干ながら次第に拡幅されるすり鉢形状をなしている。そのため、図示していないが、外ケース部３に入れられる引き出し部４もそれに対応してすり鉢形状に形成されることで、収納しすやいようになっている。
【００３０】
この実施形態においても、下段の一対の収納ケース２、２間に棚構成体１０が掛け渡されたとき、その上に収納ケース２、２を積み重ねると、その上段の収納ケース２、２のリブ３ｂが棚構成体１０のフック部１３（１４）を押さえるので、基本的には第２の実施形態と同様の効果を得ることができ、しかも外ケース部３にリブ３ｂが設けられると、それだけ外ケース部３の強度が上がるので、収納ケース２の剛性を高めることもできる効果が得られる。
【００３１】
図１６は、この発明の第４の実施の形態に係る簡易棚付き収納ユニット１を示している。
この実施形態では、前述した棚構成体１０に掛け渡される棚板部材として、棚構成体１０の長さ方向に沿い二枚からなる第１、第２の棚板部材１７１、１７２で形成されている。この場合、第１の棚板部材１７１と第２の棚板部材１７２とは、第１の実施形態のように三枚を用いる棚板部材１７より幅が広く形成されている。そして、例えば、棚構成体１０を伸縮して使用するとき、例えば図３に示すように伸長したり、図５に示すように縮小したりして使用した場合でも、第１、第２の棚板部材１７１、１７２の互いに対向する端部が重なり合うようになっている。これら双方の棚板部材１７１の縁部（図示せず）及び棚板部材１７２の縁部１７２ａには、棚構成体１０に引き掛ける切り欠き１８が設けられている。
【００３２】
この実施形態によれば、棚構成体１０の長さ方向の一端側に引き掛けられる棚板部材１７１と、その他端側に引き掛けられる棚板部材１７２とが、棚構成体１０に着脱自在に取り付けられているので、棚構成体１０が伸縮しても、いずれかの棚板部材を取り外す必要がなく、収納ケース２、２間に架設された棚構成体１０が上下に連絡することなく常に塞ぐことができるので、物が落下するおそれがない。しかも、必要によっては取り外しも容易にできるので、使い勝手がいっそう良好となる。
【００３３】
図１８は、この発明の第５の実施の形態に係る簡易棚付き収納ユニット１を示している。
この実施形態においては、棚構成体１０が、板体１７Ａの両端にフック部１３及びフック部１４がそれぞれ設けられることで構成されたものであり、従って、換言すれば、前述した実施形態の棚板部材と各フック部とが一体に形成されたこととなる。この実施形態においても、棚を良好に形成することができる。
【００３４】
なお、以上の実施形態では、収納ケース２の引き出し部４に前板４ａが設けられた例を示したが、例えば図１７に示すように、前板４ａが存在せず、いわゆる前面開放形をなす引き出し部４に形成してもよいのは勿論である。
また、図示実施の形態では、収納ケースが押入やクローゼットに入れられて使用する例を示したが、これに限らず、タンスの上などに設置して使用する場合にも適用することができる。また、収納ケースが引き出しタイプに構成されているが、上蓋を被せるタイプのものに適用しても、同様の作用効果が得られる。そして、収納ケースが外ケース部と引き出し部とで構成された例を示したが、その具体的構成は図示例に限定されるものではない。更に、この実施形態の棚構成体として、図２に示すように同様の長さに調節されて二本用いられるように構成された例を示したが、それらを一体に形成することができ、従って、本発明において、要は、所期の機能を得ることができればよい。
【図面の簡単な説明】
【００３５】
【図１】この発明の第１の実施の形態に係る簡易棚付き収納ユニットを示す説明図である。
【図２】棚構成体を示す説明用斜視図である。
【図３】棚構成体を伸長させて三個の棚板部材を使用したときの説明用斜視図である。
【図４】図３のＡ−Ａ線に相当する棚構成体を示す断面図である。
【図５】棚構成体を縮小させて二個の棚板部材を使用したときの説明用斜視図である。
【図６】収納ケースを示す平面図である。
【図７】収納ケースを示す正面図である。
【図８】収納ケースを示す図７の右側面図である。
【図９】図７のＣ−Ｃ線断面図である。
【図１０】収納ケースの全体斜視図である。
【図１１】収納ケースの引き出し部を引き出した状態の斜視図である。
【図１２】図６のＢ−Ｂ線に相当する天板の拡大断面図である。
【図１３】一対の収納ケース間に棚構成体を架設したときの拡大説明図である。
【図１４】この発明の第２の実施の形態に係る簡易棚付き収納ユニットの要部を示す図１３に相当する断面図である。
【図１５】この発明の第３の実施の形態に係る簡易棚付き収納ユニットを示す収納ケースの要部を示す説明図である。
【図１６】この発明の第４実施の形態に係る簡易棚付き収納ユニットを示す棚板部材を示す斜視図である。
【図１７】収納ケースの外ケース部と前板を有していない前面開放形の引き出し部とを示す説明用斜視図である。
【図１８】この発明の第５実施の形態に係る簡易棚付き収納ユニットを示す棚構成体の斜視図である。
【符号の説明】
【００３６】
１    簡易棚付き収納ユニット
２    収納ケース
５    凹部（係止部）
１０    棚構成体
１１    第１の部材
１２    第２の部材
１３、１４    フック部（被係止部）
【図１】
2005080768.tif 000003
【図２】
2005080768.tif 000004
【図３】
2005080768.tif 000005
【図４】
2005080768.tif 000006
【図５】
2005080768.tif 000007
【図６】
2005080768.tif 000008
【図７】
2005080768.tif 000009
【図８】
2005080768.tif 000010
【図９】
2005080768.tif 000011
【図１０】
2005080768.tif 000012
【図１１】
2005080768.tif 000013
【図１２】
2005080768.tif 000014
【図１３】
2005080768.tif 000015
【図１４】
2005080768.tif 000016
【図１５】
2005080768.tif 000017
【図１６】
2005080768.tif 000018
【図１７】
2005080768.tif 000019
【図１８】
2005080768.tif 000020